(57)【要約】【課題】電話機に迷惑電話の電話番号を特定できる情報を提供することが可能となる。【解決手段】着信者端末と着信制御サーバとを有する着信制御システムであって、着信者端末は、発信者端末の電話番号と発信者端末が発信した時間の長さを表す呼出時間と着信日時とを含む着信情報を生成する着信情報生成部と、電話番号が迷惑番号であるか否かを表す情報を含む着信情報テーブルを取得する迷惑番号取得部と、着信情報テーブルに基づいて、発信者端末の電話番号が迷惑番号であるか否かを判定する迷惑番号判定部と、を備え、着信制御サーバは、着信者端末から受け付けた着信情報のうち、着信日時が所定の期間以内である着信情報に所定の数以上の同じ電話番号が含まれ、かつ同じ電話番号を含む着信情報に、所定時間以下の呼出時間が所定の数以上含まれる場合、電話番号が迷惑番号であると決定する迷惑番号決定部と、通信部と、を備える着信制御システムである。【選択図】図１
2018182719.tif 000002
【特許請求の範囲】
【請求項１】
ネットワークで通信可能に接続された着信者端末と着信制御サーバとを有する着信制御システムであって、
前記着信者端末は、
前記着信者端末に発信した発信者端末の電話番号と前記発信者端末が前記着信者端末に発信した時間の長さを表す呼出時間と着信があった場合の日時を表す着信日時とを含む着信情報を生成する着信情報生成部と、
前記電話番号が迷惑番号であるか否かを表す情報を含む着信情報テーブルを取得する迷惑番号取得部と、
前記着信情報テーブルに基づいて、前記発信者端末の電話番号が迷惑番号であるか否かを判定する迷惑番号判定部と、
を備え、
前記着信制御サーバは、
前記着信者端末から受け付けた前記着信情報のうち、前記着信日時が所定の期間以内である前記着信情報に所定の数以上の同じ電話番号が含まれ、かつ前記同じ電話番号を含む前記着信情報に、所定時間以下の前記呼出時間が所定の数以上含まれる場合、前記電話番号が迷惑番号であると決定し、前記電話番号が迷惑番号であるか否かを表す情報を前記着信情報テーブルに記録する迷惑番号決定部と、
前記着信情報テーブルを前記着信者端末に送信する通信部と、
を備える着信制御システム。
【請求項２】
前記着信者端末は、前記着信情報テーブルを記憶する迷惑番号記憶部をさらに備え、
前記迷惑番号取得部は、前記着信情報テーブルを前記迷惑番号記憶部に記憶し、
前記迷惑番号判定部は、前記着信情報テーブルに前記発信者端末の電話番号が迷惑番号であることを表す情報が含まれている場合、前記発信者端末の電話番号が迷惑番号であると判定する、
請求項１に記載の着信制御システム。
【請求項３】
前記着信者端末は、複数の電話番号を含む電話番号情報を記憶するアドレス帳記憶部をさらに備え、
前記迷惑番号判定部は、前記発信者端末の電話番号が前記電話番号情報に含まれる場合、前記電話番号は迷惑番号ではないと判定し、前記電話番号情報に含まれない場合、前記着信情報テーブルに基づいて、前記電話番号が迷惑番号であるか否かを判定する、
請求項１又は２に記載の着信制御システム。
【請求項４】
前記着信者端末は、
前記迷惑番号判定部が、前記電話番号は迷惑番号であると判定した場合、前記発信者端末からの着信を切断する着信拒否部と、
前記着信拒否部が着信を切断した場合に、着信を切断した旨を表示する表示部と、
を更に備える、
請求項１から３のいずれか１項に記載の着信制御システム。
【請求項５】
ネットワークで通信可能に接続された着信者端末と着信制御サーバとを有する着信制御システムが実行する着信制御方法であって、
ネットワークで通信可能に接続された着信者端末と着信制御サーバとを有する着信制御システムであって、
前記着信者端末は、
前記着信者端末に発信した発信者端末の電話番号と前記発信者端末が前記着信者端末に発信した時間の長さを表す呼出時間と着信があった場合の日時を表す着信日時とを含む着信情報を生成する着信情報生成ステップと、
前記電話番号が迷惑番号であるか否かを表す情報を含む着信情報テーブルを取得する迷惑番号取得ステップと、
前記着信情報テーブルに基づいて、前記発信者端末の電話番号が迷惑番号であるか否かを判定する迷惑番号判定ステップと、
を有し、
前記着信制御サーバは、
前記着信者端末から受け付けた前記着信情報のうち、前記着信日時が所定の期間以内である前記着信情報に所定の数以上の同じ電話番号が含まれ、かつ前記同じ電話番号を含む前記着信情報に、所定時間以下の前記呼出時間が所定の数以上含まれる場合、前記電話番号が迷惑番号であると決定し、前記電話番号が迷惑番号であるか否かを表す情報を前記着信情報テーブルに記録する迷惑番号決定ステップと、
前記着信情報テーブルを前記着信者端末に送信する通信ステップと、
を有する、
着信制御システムが実行する着信制御方法。
【請求項６】
請求項１から４のいずれか一項に記載の着信制御システムとしてコンピュータを機能させるためのコンピュータプログラム。
【発明の詳細な説明】
【技術分野】
【０００１】
本発明は、着信制御システム、着信制御方法及びコンピュータプログラムに関する。
【背景技術】
【０００２】
近年、不特定多数の電話機に対し発信を繰り返し、金銭を騙し取るなどの迷惑電話が増加している。電話機の所有者は、知らない電話番号からの着信には応答しないといった措置をとることで、迷惑電話に対応している。しかし、仕事で用いられるような電話機では、知らない電話番号からの着信に対して応答しないといった措置をとりにくい。そこで、応答した電話番号が迷惑電話であった場合、電話機のアドレス帳などに迷惑電話の電話番号を登録していくことで、今後は登録された番号からの着信には応答しないといった措置が取られる場合がある。
【先行技術文献】
【特許文献】
【０００３】
【特許文献１】特開２０１３−２１９６４０号公報
【発明の概要】
【発明が解決しようとする課題】
【０００４】
しかしながら、迷惑電話の電話番号は、日々新しく作られる可能性があり、個人で迷惑電話の電話番号を特定していくには多大な労力が発生するという問題があった。
【０００５】
上記事情に鑑み、本発明は、電話機に迷惑電話の電話番号を特定できる情報を提供する技術を提供することを目的としている。
【課題を解決するための手段】
【０００６】
本発明の一態様は、ネットワークで通信可能に接続された着信者端末と着信制御サーバとを有する着信制御システムであって、前記着信者端末は、前記着信者端末に発信した発信者端末の電話番号と前記発信者端末が前記着信者端末に発信した時間の長さを表す呼出時間と着信があった場合の日時を表す着信日時とを含む着信情報を生成する着信情報生成部と、前記電話番号が迷惑番号であるか否かを表す情報を含む着信情報テーブルを取得する迷惑番号取得部と、前記着信情報テーブルに基づいて、前記発信者端末の電話番号が迷惑番号であるか否かを判定する迷惑番号判定部と、を備え、前記着信制御サーバは、前記着信者端末から受け付けた前記着信情報のうち、前記着信日時が所定の期間以内である前記着信情報に所定の数以上の同じ電話番号が含まれ、かつ前記同じ電話番号を含む前記着信情報に、所定時間以下の前記呼出時間が所定の数以上含まれる場合、前記電話番号が迷惑番号であると決定し、前記電話番号が迷惑番号であるか否かを表す情報を前記着信情報テーブルに記録する迷惑番号決定部と、前記着信情報テーブルを前記着信者端末に送信する通信部と、を備える着信制御システムである。
【０００７】
本発明の一態様は、上記の着信制御システムであって、前記着信者端末は、前記着信情報テーブルを記憶する迷惑番号記憶部をさらに備え、前記迷惑番号取得部は、前記着信情報テーブルを前記迷惑番号記憶部に記憶し、前記迷惑番号判定部は、前記着信情報テーブルに前記発信者端末の電話番号が迷惑番号であることを表す情報が含まれている場合、前記発信者端末の電話番号が迷惑番号であると判定する。
【０００８】
本発明の一態様は、上記の着信制御システムであって、前記着信者端末は、複数の電話番号を含む電話番号情報を記憶するアドレス帳記憶部をさらに備え、前記迷惑番号判定部は、前記発信者端末の電話番号が前記電話番号情報に含まれる場合、前記電話番号は迷惑番号ではないと判定し、前記電話番号情報に含まれない場合、前記着信情報テーブルに基づいて、前記電話番号が迷惑番号であるか否かを判定する。
【０００９】
本発明の一態様は、上記の着信制御システムであって、前記着信者端末は、前記迷惑番号判定部が、前記電話番号は迷惑番号であると判定した場合、前記発信者端末からの着信を切断する着信拒否部と、前記着信拒否部が着信を切断した場合に、着信を切断した旨を表示する表示部と、を更に備える。
【００１０】
本発明の一態様は、ネットワークで通信可能に接続された着信者端末と着信制御サーバとを有する着信制御システムが実行する着信制御方法であって、ネットワークで通信可能に接続された着信者端末と着信制御サーバとを有する着信制御システムであって、前記着信者端末は、前記着信者端末に発信した発信者端末の電話番号と前記発信者端末が前記着信者端末に発信した時間の長さを表す呼出時間と着信があった場合の日時を表す着信日時とを含む着信情報を生成する着信情報生成ステップと、前記電話番号が迷惑番号であるか否かを表す情報を含む着信情報テーブルを取得する迷惑番号取得ステップと、前記着信情報テーブルに基づいて、前記発信者端末の電話番号が迷惑番号であるか否かを判定する迷惑番号判定ステップと、を有し、前記着信制御サーバは、前記着信者端末から受け付けた前記着信情報のうち、前記着信日時が所定の期間以内である前記着信情報に所定の数以上の同じ電話番号が含まれ、かつ前記同じ電話番号を含む前記着信情報に、所定時間以下の前記呼出時間が所定の数以上含まれる場合、前記電話番号が迷惑番号であると決定し、前記電話番号が迷惑番号であるか否かを表す情報を前記着信情報テーブルに記録する迷惑番号決定ステップと、前記着信情報テーブルを前記着信者端末に送信する通信ステップと、を有する、着信制御システムが実行する着信制御方法である。
【００１１】
本発明の一態様は、上記の着信制御システムとしてコンピュータを機能させるためのコンピュータプログラムである。
【発明の効果】
【００１２】
本発明により、電話機に迷惑電話の電話番号を特定できる情報を提供することが可能となる。
【図面の簡単な説明】
【００１３】
【図１】着信制御システム１のシステム構成を表すシステム構成図である。
【図２】着信者端末１００の機能構成を表す機能ブロック図である。
【図３】着信制御サーバ３００の機能構成を表す機能ブロック図である。
【図４】着信者端末１００が送信する着信情報の一具体例を示す図である。
【図５】着信制御サーバ３００に記憶される着信情報テーブルの一具体例を示す図である。
【図６】着信制御システム１における迷惑番号判定の処理の流れを表すシーケンス図である。
【図７】迷惑番号決定部３１１による迷惑番号判定処理の流れを表すフローチャートである。
【図８】着信制御システム１における着信者端末１００の着信時の処理の流れを表すシーケンス図である。
【図９】着信者端末１００ａの機能構成を表す機能ブロック図である。
【図１０】迷惑番号取得部１１３ａによる着信情報テーブルの配信要求の流れを表すシーケンス図である。
【図１１】着信制御システム１における着信者端末１００ａの着信時の処理の流れを表すシーケンス図である。
【発明を実施するための形態】
【００１４】
（第１の実施形態）
図１は、着信制御システム１のシステム構成を表すシステム構成図である。着信制御システム１は、着信者端末１００、発信者端末２００及び着信制御サーバ３００を備える。着信者端末１００、発信者端末２００及び着信制御サーバ３００は、第１ネットワーク４００及び第２ネットワーク５００を介して互いに通信可能に接続される。第１ネットワーク４００と第２ネットワークは異なるネットワークで構成される。第１ネットワーク４００と第２ネットワークは相互に通信可能に接続される。第１ネットワーク４００は、例えばインターネットである。第２ネットワーク５００は、例えば電話回線網である。
【００１５】
着信者端末１００は、スマートフォン、タブレットコンピュータ又はパーソナルコンピュータ等の情報処理装置を用いて構成される。着信者端末１００は、バスで接続されたＣＰＵ（Central Processing Unit）やメモリや補助記憶装置などを備える。着信者端末１００は、発信者端末２００及び着信制御サーバ３００と第１ネットワーク又は第２ネットワークを介して通信可能に接続される。着信者端末１００は、発信者端末２００による発信を受け付けることで、発信者端末２００と通話ができる。
【００１６】
発信者端末２００は、スマートフォン、タブレットコンピュータ又はパーソナルコンピュータ等の情報処理装置を用いて構成される。発信者端末２００は、バスで接続されたＣＰＵやメモリや補助記憶装置などを備える。発信者端末２００は、着信者端末１００及び着信制御サーバ３００と第２ネットワークを介して通信可能に接続される。発信者端末２００は、着信者端末１００に発信することで、着信者端末１００と音声通信ができる。発信者端末２００は、第１ネットワークと接続されるように構成されてもよい。発信者端末２００は、着信者端末１００に発信する場合、自身の電話番号を着信者端末１００に送信する。発信者端末２００はダイヤルパルス方式の電話機であってもよい。
【００１７】
着信制御サーバ３００は、メインフレーム、ワークステーションやパーソナルコンピュータ等の情報処理装置を用いて構成される。着信制御サーバ３００は、バスで接続されたＣＰＵやメモリや補助記憶装置などを備える。着信制御サーバ３００は、着信者端末１００及び発信者端末２００と第１ネットワーク４００又は第２ネットワーク５００を介して通信可能に接続される。着信制御サーバ３００は、着信者端末１００から収集した情報に基づいて、発信者端末２００が迷惑電話であるか否かを判定する。
【００１８】
図２は、着信者端末１００の機能構成を表す機能ブロック図である。着信者端末１００は、着信プログラムを実行することによって第１通信部１０１、第２通信部１０２、入力部１０３、表示部１０４、アドレス帳記憶部１０５及び制御部１１０を備える装置として機能する。
【００１９】
第１通信部１０１は、ネットワークインタフェースである。第１通信部１０１は第１ネットワーク４００を介して、発信者端末２００及び着信制御サーバ３００と通信する。第１通信部１０１は、例えば無線ＬＡＮ（Local Area Network）又は有線ＬＡＮ等の通信方式で通信してもよい。
【００２０】
第２通信部１０２は、ネットワークインタフェースである。第２通信部１０２は第２ネットワーク５００を介して、発信者端末２００及び着信制御サーバ３００と通信する。第２通信部１０２は、例えばＰＳＴＮ（Public Switched Telephone Network）、３Ｇ（Generation）又はＬＴＥ（Long Term Evolution）（登録商標）等の通信方式で通信してもよい。
【００２１】
入力部１０３は、ユーザが着信者端末１００に対して指示を送る入力装置を用いて構成される。入力装置は、例えば、タッチペン、マウス、キーボード及びリモコン等である。入力部１０３は、表示部１０４と一体のタッチパネルとして構成されてもよい。入力部１０３がタッチパネルとして構成される場合、入力部１０３は、タッチ入力を受け付ける。入力部１０３は、入力装置を着信者端末１００に接続するためのインタフェースであってもよい。この場合、入力部１０３は、入力装置において入力された入力信号から入力データ（例えば、着信者端末１００に対する指示を示す指示情報）を生成し、着信者端末１００に入力する。
【００２２】
表示部１０４は、液晶ディスプレイ、有機ＥＬ（Electro Luminescence）ディスプレイ等の出力装置である。表示部１０４は、出力装置を着信者端末１００に接続するためのインタフェースであってもよい。この場合、表示部１０４は、映像データから映像信号を生成し、自身に接続されている映像出力装置に映像信号を出力する。
【００２３】
アドレス帳記憶部１０５は、磁気ハードディスク装置や半導体記憶装置等の記憶装置を用いて構成される。アドレス帳記憶部１０５は、複数の電話番号情報を記憶する。電話番号情報は、発信者端末２００から受け付けた電話番号を含む。電話番号情報は、ユーザによって記憶される。発信者端末２００が着信者端末１００に発信した場合、着信者端末１００は、発信者端末２００の電話番等と電話番号が一致する電話番号情報を取得する。着信者端末１００は、取得した電話番号情報に含まれる情報を表示部１０４に表示させる。電話番号情報は、発信者の氏名、メールアドレス等の他の情報が含まれてもよい。
【００２４】
制御部１１０は、着信者端末１００の各部の動作を制御する。制御部１１０は、例えばＣＰＵ及びＲＡＭ（Random Access Memory）を備えた装置により実行される。制御部１１０は、着信プログラムを実行することによって、着信情報生成部１１１、時刻取得部１１２、迷惑番号取得部１１３、迷惑番号判定部１１４及び着信拒否部１１５として機能する。
【００２５】
着信情報生成部１１１は、着信情報を生成する。着信情報生成部１１１は、生成した着信情報を着信制御サーバ３００へ送信する。着信者端末１００が、発信者端末２００から受け付けた着信に関する情報である。着信情報は、着信者端末１００が発信者端末２００から着信を受け付けた場合に生成される。着信情報は、電話番号、着信日時及び呼出時間を含む。電話番号は、発信者端末２００の電話番号である。電話番号は、発信者端末２００から受け付ける。着信日時は、着信者端末１００に着信があった場合の日時である。着信日時は、時刻取得部１１２から受け付ける。呼出時間は、着信者端末１００に着信があった時から着信が終了するまでの時間である。
【００２６】
時刻取得部１１２は、時刻を取得する。時刻取得部１１２は、取得した時刻を着信情報生成部１１１に出力する。時刻取得部１１２は、着信者端末１００の内蔵時計から時刻を取得する。時刻取得部１１２は、ＮＴＰ（Network Time Protocol）サーバ等の他の装置から時刻を取得してもよい。
【００２７】
迷惑番号取得部１１３は、着信制御サーバ３００から迷惑番号であるか否かの情報を取得する。具体的には、迷惑番号取得部１１３は、着信があった発信者端末２００の電話番号を着信制御サーバ３００へ送信する。迷惑番号取得部１１３は、送信した電話番号が迷惑番号であるか否かの情報を着信制御サーバ３００から受信する。迷惑番号取得部１１３は、迷惑番号であるか否かの情報を迷惑番号判定部１１４に出力する。迷惑番号であるか否かの情報とは、迷惑番号である旨の情報又は迷惑番号でない旨の情報である。迷惑番号である旨の情報とは、例えば、Ｔｒｕｅなどの論理値である。迷惑番号でない旨の情報とは、例えば、Ｆａｌｓｅなどの論理値である。迷惑番号である旨の情報と迷惑番号でない旨の情報とは、迷惑番号判定部１１４が判定できるならばどのような情報であってもよい。
【００２８】
迷惑番号判定部１１４は、発信者端末２００の電話番号が迷惑番号であるか否か判定する。具体的には、迷惑番号判定部１１４は、発信者端末２００の電話番号がアドレス帳記憶部１０５に記憶される電話番号情報に含まれるか否か判定する。発信者端末２００の番号が、電話番号情報に含まれる場合、迷惑番号判定部１１４は、発信者端末２００の電話番号が迷惑番号ではないと判定する。発信者端末２００の番号が、電話番号情報に含まれない場合、迷惑番号判定部１１４は、迷惑番号取得部１１３から受け付けた迷惑番号であるか否かの情報に基づいて、迷惑番号であるか否かを判定する。迷惑番号判定部１１４は、迷惑番号判定部１１４は、迷惑番号であると判定すると、着信拒否処理する指示を着信拒否部１１５に出力する。
【００２９】
着信拒否部１１５は、発信者端末２００からの着信を切断する。着信拒否部１１５は、着信を切断すると、表示部１０４に切断した旨を表示させても良い。
【００３０】
図３は、着信制御サーバ３００の機能構成を表す機能ブロック図である。着信制御サーバ３００は、メインフレーム、ワークステーションやパーソナルコンピュータ等の情報処理装置を用いて構成される。着信制御サーバ３００は、バスで接続されたＣＰＵやメモリや補助記憶装置などを備える。着信制御サーバ３００は、迷惑電話判定プログラムを実行することによって、通信部３０１、着信情報記憶部３０２、迷惑番号記憶部３０３及び制御部３１０を備える装置として機能する。
【００３１】
通信部３０１は、ネットワークインタフェースである。通信部３０１は第１ネットワーク４００を介して、着信者端末１００と通信する。通信部３０１は、例えば無線ＬＡＮ、有線ＬＡＮ又はＬＴＥ等の通信方式で通信してもよい。
【００３２】
着信情報記憶部３０２は、磁気ハードディスク装置や半導体記憶装置等の記憶装置を用いて構成される。着信情報記憶部３０２は、着信情報テーブルを記憶する。着信情報テーブルは、着信情報レコードを記憶する。
【００３３】
制御部３１０は、着信制御サーバ３００の各部の動作を制御する。制御部３１０は、例えばＣＰＵ及びＲＡＭを備えた装置により実行される。制御部３１０は、迷惑電話判定プログラムを実行することによって、迷惑番号決定部３１１、迷惑番号情報送信部３１２及び配信部３１３として機能する。
【００３４】
迷惑番号決定部３１１は、着信情報記憶部３０２に記憶された着信情報テーブルに基づいて、着信情報レコードに含まれる電話番号が迷惑番号であるか否か決定する。具体的には、所定時間以内に記憶された着信情報レコードに含まれる電話番号が所定の数以上であるか否か判定する。所定の数以上である場合、着信情報レコードに大量発信である旨の情報が記憶される。所定の数以上でない場合、着信情報レコードに大量発信でない旨の情報が記憶される。所定時間以内とは、１時間以内であってもよいし、１日以内であってもよい。所定時間以内はどのような時間以内であってもよい。所定の数とは２０回であってもよいし、１０回であってもよい。所定の数はどのような数であってもよい。大量発信である旨の情報と大量発信でない旨の情報とは、例えば、Ｔｒｕｅ又はＦａｌｓｅなどの論理値である。大量発信である旨の情報と大量発信でない旨の情報とは、迷惑番号決定部３１１が判定できるならばどのような情報であってもよい。
【００３５】
さらに、迷惑番号決定部３１１は、大量発信である旨の情報が記憶された着信情報レコードのうち、呼出時間が所定の時間以下の着信情報レコードが所定の数以上であるか否か判定する。所定の数以上である場合、着信情報レコードにワン切りである旨の情報が記憶される。所定の数以上でない場合、着信情報レコードにワン切りでない旨の情報が記憶される。迷惑番号決定部３１１は、ワン切りである旨の情報と大量発信である旨とが記憶された着信情報レコードに対して、迷惑番号である旨の情報を記憶させる。所定の数とは２０回であってもよいし、１０回であってもよい。所定の数はどのような数であってもよい。ワン切りである旨の情報とワン切りでない旨の情報とは、例えば、Ｔｒｕｅ又はＦａｌｓｅなどの論理値である。ワン切りである旨の情報とワン切りでない旨の情報とは、迷惑番号決定部３１１が判定できるならばどのような情報であってもよい。
【００３６】
迷惑番号情報送信部３１２は、着信者端末１００から受け付けた電話番号と電話番号が一致する着信情報レコードを取得する。迷惑番号情報送信部３１２は、取得した着信情報レコードに含まれる迷惑番号であるか否かを表す情報を着信者端末１００に送信する。
【００３７】
配信部３１３は、着信者端末１００に対して、着信情報テーブルを送信する。配信部３１３は、着信者端末１００から着信情報テーブルのバージョン情報を受け付けた場合、最新のバージョン情報との差分の着信情報テーブルを送信する。
【００３８】
図４は、着信者端末１００が送信する着信情報の一具体例を示す図である。図４に示される例では、着信情報は、“電話番号”、“着信日時”及び“呼出時間”の各値を有する。従って、着信情報によると、着信者端末１００は、電話番号“０３−ＡＡＡＡ−ＢＢＢＢ”である発信者端末２００から着信日時”２０１７／０３／２７  １２：１０：０５”に着信を受け付け、呼出時間“１５”ほど、着信の開始から着信が終了するまで時間がかかったことがわかる。なお、図４に示される着信情報は一具体例に過ぎない。そのため、図４とは異なる態様で着信情報が構成されてもよい。例えば、着信情報は、事業者の名称などを表す事業者情報を有していてもよい。
【００３９】
図５は、着信制御サーバ３００に記憶される着信情報テーブルの一具体例を示す図である。着信情報テーブルは、着信情報レコードを記憶する。着信情報レコードは、電話番号、着信日時、呼出時間、事業者名、大量発信、ワン切り及び迷惑番号の各値を有する。着信情報テーブルの一番目のレコードによると、電話番号“０３−ＥＦＧＨ−ＡＢＣＤ”である発信者端末２００は、着信日時“２０１７／０２／２７  １２：１０：０５”に発信し、“２”の呼出しを行った。この発信者端末２００の事業者名は“Ｃ”である。また、迷惑番号決定部３１１によって、大量発信である旨の情報、ワン切りである旨の情報及び迷惑番号である旨の情報を有する。したがって、一番目のレコードは、迷惑番号であることがわかる。なお、図５に示される着信情報レコードは一具体例に過ぎない。そのため、図５とは異なる態様で着信情報が構成されてもよい。例えば、着信情報レコードは、着信情報レコードが生成された日時を有していてもよい。
【００４０】
図６は、着信制御システム１における迷惑番号判定の処理の流れを表すシーケンス図である。発信者端末２００は、着信者端末１００に対して、発信を行う（ステップＳ１０１）。発信は、複数の着信者端末１００に対して行われる。着信者端末１００の着信情報生成部１１１は、着信情報を生成する（ステップＳ１０２）。着信情報生成部１１１は、生成した着信情報を着信制御サーバ３００に送信する（ステップＳ１０３）。着信制御サーバ３００は、着信情報記憶部３０２に着信情報を記憶させる（ステップＳ１０４）。着信制御サーバ３００の迷惑番号決定部３１１は、着信情報に含まれる電話番号に対して迷惑番号決定処理を行う（ステップＳ１０５）。
【００４１】
図７は、迷惑番号決定部３１１による迷惑番号決定処理の流れを表すフローチャートである。迷惑番号決定部３１１は、着信情報記憶部３０２に記憶される着信情報レコードのうち、着信日時が所定時間以内である着信情報レコードを取得する（ステップＳ２０１）。迷惑番号決定部３１１は、取得した着信情報レコードから電話番号を取得する（ステップＳ２０２）。迷惑番号決定部３１１は、取得した電話番号が、取得した着信情報レコードの電話番号に所定数以上含まれるか否か判定する（ステップＳ２０３）。所定数以上含まれる場合（ステップＳ２０３：ＹＥＳ）、迷惑番号決定部３１１は、取得した電話番号を有する着信情報レコードに対して、大量発信である旨の情報を設定する（ステップＳ２０４）。所定数以上含まれない場合（ステップＳ２０３：ＮＯ）、迷惑番号決定部３１１は、取得した電話番号を有する着信情報レコードに対して、大量発信でない旨の情報を設定する（ステップＳ２０５）。
【００４２】
迷惑番号決定部３１１は、ステップＳ２０４で大量発信である旨の情報が記憶された着信情報レコードに含まれる呼出時間が所定時間以下である回数を計数する（ステップＳ２０６）。迷惑番号決定部３１１は、計数された呼出時間の回数が所定数以上であるか否か判定する（ステップＳ２０７）。計数された呼出時間の回数が所定数以上ある場合（ステップＳ２０７：ＹＥＳ）、迷惑番号決定部３１１は、大量発信である旨の情報が記憶された着信情報レコードに対して、ワン切りである旨の情報を設定する（ステップＳ２０４）。計数された呼出時間の回数が所定数以上ない場合（ステップＳ２０７：ＮＯ）、迷惑番号決定部３１１は、大量発信である旨の情報が記憶された着信情報レコードに対して、ワン切りでない旨の情報を設定する（ステップＳ２０９）。
【００４３】
迷惑番号決定部３１１は、取得した着信情報レコードが大量発信である旨の情報とワン切りである旨の情報とを記憶しているか否か判定する（ステップＳ２１０）。着信情報レコードが記憶している場合（ステップＳ２１０：ＹＥＳ）、迷惑番号決定部３１１は、着信情報レコードに迷惑番号である旨の情報を記憶させる（ステップＳ２１１）。着信情報レコードが記憶していない場合（ステップＳ２１０：ＮＯ）、迷惑番号決定部３１１は、着信情報レコードに迷惑番号でない旨の情報を記憶させる（ステップＳ２１１）。
【００４４】
図８は、着信制御システム１における着信者端末１００の着信時の処理の流れを表すシーケンス図である。着信者端末１００は、発信者端末２００から着信を受け付ける（ステップＳ３０１）。着信には、発信者端末２００の電話番号が含まれる。着信者端末１００の迷惑番号判定部１１４は、アドレス帳記憶部１０５に記憶されるアドレス帳の電話番号情報を取得する（ステップＳ３０２）。迷惑番号判定部１１４は、取得した電話番号情報に発信者端末２００から受け付けた電話番号が含まれるか否か判定する（ステップＳ３０３）。
【００４５】
電話番号が電話番号情報に含まれる場合（ステップＳ３０３：ＹＥＳ）、ステップＳ３０８に遷移する。電話帳が電話番号情報に含まれない場合（ステップＳ３０３：ＮＯ）、迷惑番号判定部１１４は、発信者端末２００から受け付けた電話番号を着信制御サーバ３００に送信する（ステップＳ３０４）。着信制御サーバ３００の迷惑番号情報送信部３１２は、受け付けた電話番号を有する着信情報レコードを取得する。迷惑番号情報送信部３１２は、取得した着信情報レコードから迷惑番号であるか否かを表す情報を取得する（ステップＳ３０５）。迷惑番号情報送信部３１２は、迷惑番号であるか否かを表す情報を着信者端末１００に送信する（ステップＳ３０６）。
【００４６】
迷惑番号判定部１１４は、受け付けた迷惑番号であるか否かを表す情報に基づいて、発信者端末２００の電話番号が迷惑番号であるか否か判定する（ステップＳ３０７）。迷惑番号でないと判定された場合（ステップＳ３０７：ＮＯ）、着信者端末１００と発信者端末２００は通話を開始する（ステップＳ３０８）。迷惑番号であると判定された場合（ステップＳ３０７：ＹＥＳ）、着信者端末１００の着信拒否部１１５は発信者端末２００からの着信を切断する（ステップＳ３０９）。
【００４７】
このように構成された着信制御システム１によれば、着信制御サーバ３００は、着信情報を複数の着信者端末１００から取得し、着信情報テーブルを生成する。着信者端末１００の迷惑番号判定部１１４が、発信者端末２００から受け付けた電話番号を着信制御サーバ３００に送信する。着信制御サーバ３００の迷惑番号情報送信部３１２が着信情報テーブルに基づいて、迷惑番号であるか否かを表す情報を取得し、着信者端末１００に送信する。着信者端末１００は、迷惑番号であるか否かを表す情報に基づいて、発信者端末２００が迷惑番号であるか否か判定する。したがって、着信者端末１００のユーザは、より短時間に迷惑番号であるか否かを取得することができる。
【００４８】
（第２の実施形態）
次に、第２の実施形態における着信制御システム１について説明する。第２の実施形態における着信制御システム１は、着信者端末１００の代わりに着信者端末１００ａを備える点で第１の実施形態とは異なるが、それ以外の構成は同じである。以下、第１の実施形態と異なる点について説明する。
【００４９】
図９は、着信者端末１００ａの機能構成を表す機能ブロック図である。着信者端末１００ａは、着信プログラムを実行することによって制御部１１０の代わりに制御部１１０ａを備え、迷惑番号記憶部１０６をさらに備える点で着信者端末１００とは異なるが、それ以外の構成は同じである。
【００５０】
迷惑番号記憶部１０６は、磁気ハードディスク装置や半導体記憶装置等の記憶装置を用いて構成される。迷惑番号記憶部１０６は、着信制御サーバ３００から受け付けた着信情報テーブルを記憶する。
【００５１】
制御部１１０ａは、着信者端末１００ａの各部の動作を制御する。制御部１１０ａは、例えばＣＰＵ及びＲＡＭを備えた装置により実行される。制御部１１０ａは、着信プログラムを実行することによって、迷惑番号取得部１１３の代わりに迷惑番号取得部１１３ａ、迷惑番号判定部１１４の代わりに迷惑番号判定部１１４ａを備える点で制御部１１０とは異なるが、それ以外の構成は同じである。
【００５２】
迷惑番号取得部１１３ａは、着信制御サーバ３００から着信情報テーブルを取得する。具体的には、迷惑番号取得部１１３ａは、ユーザからの入力に応じて、着信情報テーブルの配信要求を着信制御サーバ３００へ送信する。迷惑番号取得部１１３ａは、着信制御サーバ３００から受信した着信情報テーブルを迷惑番号記憶部１０６に記憶させる。迷惑番号取得部１１３ａは、ＴＮサーバに着信情報テーブルの配信要求を行う場合、Ｖｅｒｓｉｏｎ情報をあわせて送信してもよい。この場合、迷惑番号取得部１１３ａは、着信制御サーバ３００から差分となる着信情報テーブルを受信する。
【００５３】
迷惑番号判定部１１４ａは、発信者端末２００の電話番号が迷惑番号であるか否か判定する。具体的には、迷惑番号判定部１１４ａは、発信者端末２００の電話番号がアドレス帳記憶部１０５に記憶される電話番号情報に含まれるか否か判定する。発信者端末２００の番号が、電話番号情報に含まれる場合、迷惑番号判定部１１４ａは、発信者端末２００の電話番号が迷惑番号ではないと判定する。発信者端末２００の電話番号が、電話番号情報に含まれない場合、迷惑番号判定部１１４ａは、迷惑番号記憶部１０６に記憶される着信情報テーブルから、発信者端末２００の電話番号を有する着信情報レコードを取得する。迷惑番号判定部１１４ａは、取得した着信情報レコードに迷惑番号である旨の情報が含まれているか否か判定する。迷惑番号である旨の情報が含まれている場合、迷惑番号判定部１１４ａは、発信者端末２００の電話番号が迷惑番号であると判定する。迷惑番号である旨の情報が含まれていない場合、迷惑番号判定部１１４ａは、発信者端末２００の電話番号が迷惑番号でないと判定する。迷惑番号判定部１１４ａは、迷惑番号であると判定すると、着信拒否処理する指示を着信拒否部１１５に出力する。
【００５４】
図１０は、迷惑番号取得部１１３ａによる着信情報テーブルの配信要求の流れを表すシーケンス図である。着信者端末１００ａの迷惑番号取得部１１３ａは、入力部１０３を介してユーザから着信情報テーブルの配信指示を受け付ける（ステップＳ４０１）。迷惑番号取得部１１３ａは、着信情報テーブルの配信要求と迷惑番号記憶部１０６に記憶されるＶｅｒｓｉｏｎ情報とを着信制御サーバ３００に送信する（ステップＳ４０２）。着信制御サーバ３００の配信部３１３は、着信情報記憶部３０２から着信情報テーブルとＶｅｒｓｉｏｎ情報とを取得する（ステップＳ４０３）。配信部３１３は、着信情報テーブルとＶｅｒｓｉｏｎ情報とを着信者端末１００ａに送信する（ステップＳ４０４）。迷惑番号取得部１１３ａは、受信した着信情報テーブルとＶｅｒｓｉｏｎ情報とを迷惑番号記憶部１０６に記憶する（ステップＳ４０５）。
【００５５】
図１１は、着信制御システム１における着信者端末１００ａの着信時の処理の流れを表すシーケンス図である。着信者端末１００ａは、発信者端末２００から着信を受け付ける（ステップＳ５０１）。着信には、発信者端末２００の電話番号が含まれる。着信者端末１００ａの迷惑番号判定部１１４ａは、アドレス帳記憶部１０５に記憶されるアドレス帳を取得する（ステップＳ５０２）。迷惑番号判定部１１４は、取得したアドレス帳の電話番号情報に発信者端末２００から受け付けた電話番号が含まれるか否か判定する（ステップＳ５０３）。
【００５６】
電話番号が電話番号情報に含まれる場合（ステップＳ５０３：ＹＥＳ）、ステップＳ５０６に遷移する。電話帳が電話番号情報に含まれない場合（ステップＳ５０３：ＮＯ）、迷惑番号判定部１１４ａは、迷惑番号記憶部１０６から受け付けた電話番号を含む着信情報レコードを取得する（ステップＳ５０４）。迷惑番号判定部１１４ａは、着信情報レコードが迷惑番号である旨の情報を有するか否か判定する（ステップＳ５０５）。迷惑番号である旨の情報を有さない場合（ステップＳ５０５：ＮＯ）、着信者端末１００ａと発信者端末２００は通話を開始する（ステップＳ５０６）。迷惑番号である旨の情報を有する場合（ステップＳ５０５：ＹＥＳ）、着信者端末１００ａの着信拒否部１１５は発信者端末２００からの着信を切断する（ステップＳ５０７）。
【００５７】
このように構成された着信制御システム１によれば、着信制御サーバ３００が着信情報を複数の着信者端末１００から取得し、着信情報テーブルを生成する。着信者端末１００の迷惑番号取得部１１３ａが、生成された着信情報テーブルを取得する。迷惑番号判定部１１４ａは、着信情報テーブルに基づいて、電話番号が迷惑番号であるか否かを判定する。したがって、着信者端末１００ａのユーザは、より短時間に迷惑番号であるか否かを取得することができる。
【００５８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５９】
本発明は、迷惑電話がかかってくる電話機に適用可能である。
【符号の説明】
【００６０】
１…着信制御システム，  １００…着信者端末，  １０１…第１通信部，  １０２…第２通信部，  １０３…入力部，  １０４…表示部，  １０５…アドレス帳記憶部，  １１０…制御部，  １１１…着信情報生成部，  １１２…時刻取得部，  １１３…迷惑番号取得部，  １１４…迷惑番号判定部，  １１５…着信拒否部，  ２００…発信者端末，  ３００…着信制御サーバ，  ３０１…通信部，  ３０２…着信情報記憶部，  ３１０…制御部，  ３１１…迷惑番号決定部，  ３１２…迷惑番号情報送信部，３１３…配信部，  ４００…第１ネットワーク，  ５００…第２ネットワーク，  １００ａ…着信者端末，  １１０ａ…制御部，  １１３ａ…迷惑番号取得部，  １１４ａ…迷惑番号判定部
【図１】
2018182719.tif 000003
【図２】
2018182719.tif 000004
【図３】
2018182719.tif 000005
【図４】
2018182719.tif 000006
【図５】
2018182719.tif 000007
【図６】
2018182719.tif 000008
【図７】
2018182719.tif 000009
【図８】
2018182719.tif 000010
【図９】
2018182719.tif 000011
【図１０】
2018182719.tif 000012
【図１１】
2018182719.tif 000013